(57)【特許請求の範囲】
【請求項１】
トリガ出力端子と該トリガ出力端子の左及び右側に伸びる第１及び第２の巻線端子とを有する第１の金属体を第１の巻き枠側に配し、前記トリガ出力端子、第１及び第２の巻線端子の夫々の一部を露呈するようにすると共に一端を一方の入力端子とし、他端を第３の巻線端子とする第２の金属体と、一端を他方の入力端子とし、他端を第４の巻線端子とする第３の金属体とを第２の巻き枠側に配し、前記一方及び他方の入力端子の夫々の一部を前記トリガ出力端子とは反対側に露呈し、前記第３の巻線端子の一部を前記第１の巻線端子と同じ側に露呈し、前記第４の巻線端子の一部を前記第２の巻線端子と同じ側に露呈する如く樹脂によりインサート成形したことを特徴とするボビン。
【請求項２】
請求項１記載のボビンにおいて、
前記第１の巻き枠の前記トリガ出力端子側にステージを設けると共に前記第１の巻き枠に溝部を形成し、前記第１又は第２の巻線端子よりの巻線を前記ステージ及び前記溝部を介して、前記第１及び第２の巻き枠間の連結部に導くようにしたことを特徴とするボビン。
【請求項３】
請求項２記載のボビンにおいて、
前記ステージ、前記溝部の底面及び前記第１及び第２の巻き枠間の連結部の一面を略同一平面としたことを特徴とするボビン。
【請求項４】
請求項１記載のボビンにおいて、
前記トリガ出力端子の有る面又はこれに対向する面の中央に穴を設けるか、又は前記２面を結ぶ貫通穴を設けたことを特徴とするボビン。
【請求項５】
請求項１記載のボビンにおいて、
前記樹脂に磁性粉を混入したことを特徴とするボビン。
【請求項６】
トリガ出力端子と該トリガ出力端子の左及び右側に伸びる第１及び第２の巻線端子とを有する第１の金属体を第１の巻き枠側に配し、前記トリガ出力端子、第１及び第２の巻線端子の夫々の一部を露呈するようにすると共に一端を一方の入力端子とし、他端を第３の巻線端子とする第２の金属体と、一端を他方の入力端子とし、他端を第４の巻線端子とする第３の金属体とを第２の巻き枠側に配し、前記一方及び他方の入力端子の夫々の一部を前記トリガ出力端子とは反対側に露呈し、前記第３の巻線端子の一部を前記第１の巻線端子と同じ側に露呈し、前記第４の巻線端子の一部を前記第２の巻線端子と同じ側に露呈する如く樹脂によりインサート成形したボビンと、
該ボビンの前記第１又は第２の巻線端子に一端が接続され、前記第１及び第２の巻き枠間に巻装し、前記第４の巻線端子に他端が接続された２次巻線と、
前記ボビンの前記第３の巻線端子に一端が接続され、前記第１及び第２の巻き枠間に巻装し、前記第４の巻線端子に他端が接続された１次巻線とを有することを特徴とするトリガコイル。
【請求項７】
トリガ出力端子と該トリガ出力端子の左及び右側に伸びる第１及び第２の巻線端子とを有する第１の金属体を第１の巻き枠側に配し、前記トリガ出力端子、第１及び第２の巻線端子の夫々の一部を露呈するようにすると共に一端を一方の入力端子とし、他端を第３の巻線端子とする第２の金属体と、一端を他方の入力端子とし、他端を第４の巻線端子とする第３の金属体とを第２の巻き枠側に配し、前記一方及び他方の入力端子の夫々の一部を前記トリガ出力端子とは反対側に露呈し、前記第３の巻線端子の一部を前記第１の巻線端子と同じ側に露呈し、前記第４の巻線端子の一部を前記第２の巻線端子と同じ側に露呈する如く樹脂によりインサート成形したボビンを設け、該ボビンの前記第１又は第２の巻線端子を巻き始めとし、前記第４の巻線端子を巻き終わりとし、前記第１及び第２の巻き枠間に２次巻線を巻装し、その後 前記ボビンの前記第４の巻線端子を巻き始めとし、前記第３の巻線端子を巻き終わりとし、前記第１及び第２の巻き枠間の前記２次巻線上１次巻線を巻装したことを特徴とするトリガコイルの製造方法。
【請求項８】
カメラに装着されて、撮影のための補助光を照射するフラッシュユニットにおいて、
前記補助光を照射する際に、トリガ電圧を供給することにより放電する放電管と、
前記放電管にトリガ電圧を供給するトリガコイルと、
前記トリガ電圧を供給する状態で前記放電管を支持するために前記トリガコイルのトリガ出力端子側に前記トリガコイルをインサート成形したホルダとを備え、
前記トリガコイルは、トリガ出力端子と該トリガ出力端子の左及び右側に伸びる第１及び第２の巻線端子とを有する第１の金属体を第１の巻き枠側に配し、前記トリガ出力端子、第１及び第２の巻線端子の夫々の一部を露呈するようにすると共に一端を一方の入力端子とし、他端を第３の巻線端子とする第２の金属体と、一端を他方の入力端子とし、他端を第４の巻線端子とする第３の金属体とを第２の巻き枠側に配し、前記一方及び他方の入力端子の夫々の一部を前記トリガ出力端子とは反対側に露呈し、前記第３の巻線端子の一部を前記第１の巻線端子と同じ側に露呈し、前記第４の巻線端子の一部を前記第２の巻線端子と同じ側に露呈する如く樹脂によりインサート成形したボビンと、該ボビンの前記第１又は第２の巻線端子に一端が接続され、前記第１及び第２の巻き枠間に巻装し、前記第４の巻線端子に他端が接続された２次巻線と、 前記ボビンの前記第３の巻線端子に一端が接続され、前記第１及び第２の巻き枠間に巻装し、前記第４の巻線端子に他端が接続された１次巻線とを有することを特徴とするフラッシュユニット。
【請求項９】
請求項８記載のフラッシュユニットにおいて、
前記放電管にリフレクタを介して前記トリガ電圧を供給するようにすると共に前記トリガコイルのトリガ出力端子を前記リフレクタに接触するようにしたことを特徴とするフラッシュユニット。
【請求項１０】
請求項８又は９記載のフラッシュユニットにおいて、
前記ホルダを形成する樹脂に、磁性粉を混入するようにしたことを特徴とするフラッシュユニット。
【請求項１１】
カメラに装着されて、撮影のための補助光を照射するフラッシュユニットを製造するフラッシュユニットの製造方法において、
前記補助光を照射する際に、トリガ電圧を供給することにより放電する放電管にトリガ電圧を供給するトリガコイルを、前記トリガ電圧を供給する状態で前記放電管を支持するためのホルダに前記トリガコイルのトリガ出力端子側にインサート成形するようにし、
前記トリガコイルは、トリガ出力端子と該トリガ出力端子の左及び右側に伸びる第１及び第２の巻線端子とを有する第１の金属体を第１の巻き枠側に配し、前記トリガ出力端子、第１及び第２の巻線端子の夫々の一部を露呈するようにすると共に一端を一方の入力端子とし、他端を第３の巻線端子とする第２の金属体と、一端を他方の入力端子とし、他端を第４の巻線端子とする第３の金属体とを第２の巻き枠側に配し、前記一方及び他方の入力端子の夫々の一部を前記トリガ出力端子とは反対側に露呈し、前記第３の巻線端子の一部を前記第１の巻線端子と同じ側に露呈し、前記第４の巻線端子の一部を前記第２の巻線端子と同じ側に露呈する如く樹脂によりインサート成形したボビンを設け、該ボビンの前記第１又は第２の巻線端子を巻き始めとし、前記第４の巻線端子を巻き終わりとし、前記第１及び第２の巻き枠間に２次巻線を巻装し、その後前記ボビンの前記第４の巻線端子を巻き始めとし、前記第３の巻線端子を巻き終わりとし、前記第１及び第２の巻き枠間の前記２次巻線上１次巻線を巻装したことを特徴とするフラッシュユニットの製造方法。
【発明の詳細な説明】
【技術分野】
【０００１】
本発明は、ボビン、トリガコイル、トリガコイルの製造方法、フラッシュユニット、フラッシュユニットの製造方法及びカメラに関する。
【背景技術】
【０００２】
従来、デジタルカメラ等のカメラに搭載するフラッシュユニットとして特許文献１に記載の如きものが提案されている。この特許文献１に記載のフラッシュユニットの発光部分は、トリガコイルのトリガ出力端子の高圧電圧の出力が導電性のリフレクタを経由してキセノン（Ｘｅ）管内のキセノン（Ｘｅ）ガスに供給されることにより、このキセノンガスがイオン化し、イオン化したキセノンガスによりキセノン管が放電発光し、この発光がリフレクタにより反射される構成であり、この特許文献１に開示のフラッシュユニットは、トリガコイルをホルダに一体成形するようにしたものである。
【特許文献１】特開２００５−４３７６４号公報
【発明の開示】
【発明が解決しようとする課題】
【０００３】
然しながら、特許文献１に示す如き従来のフラッシュユニットは、既製品のトリガコイルを使用し、このトリガコイルのトリガ出力端子だけを変更して使用しているため、トリガコイルの端子部を長く伸ばした状態で一体成形し、その後この端子部を所定形状に切断するという手間のかかる工程が必要であった。
【０００４】
また、フラッシュユニットを小型化するのに、このトリガコイルを小型化する必要があり、また、一般に、フラッシュユニットを構成するキセノン管には、トリガ電圧が、正が良いものと、負が良いものとの両方があり、斯かる両方のキセノン管に対応できるトリガコイルを必要としていた。
【０００５】
本発明は、斯かる点に鑑み、トリガコイルのボビンを改良し、トリガコイルを小型化できるようにすると共にフラッシュユニットを小型化できるようにすることを目的とする。
【課題を解決するための手段】
【０００６】
本発明ボビンは、トリガ出力端子とこのトリガ出力端子の左及び右側に伸びる第１及び第２の巻線端子とを有する第１の金属体を第１の巻き枠側に配し、このトリガ出力端子、第１及び第２の巻線端子の夫々の一部を露呈するようにすると共に一端を一方の入力端子とし、他端を第３の巻線端子とする第２の金属体と、一端を他方の入力端子とし、他端を第４の巻線端子とする第３の金属体とを第２の巻き枠側に配し、この一方及び他方の入力端子の夫々の一部をこのトリガ出力端子とは反対側に露呈し、この第３の巻線端子の一部をこの第１の巻線端子と同じ側に露呈し、この第４の巻線端子の一部をこの第２の巻線端子と同じ側に露呈する如く樹脂によりインサート成形したものである。
【０００７】
本発明トリガコイルは、トリガ出力端子とこのトリガ出力端子の左及び右側に伸びる第１及び第２の巻線端子とを有する第１の金属体を第１の巻き枠側に配し、このトリガ出力端子、第１及び第２の巻線端子の夫々の一部を露呈するようにすると共に一端を一方の入力端子とし、他端を第３の巻線端子とする第２の金属体と、一端を他方の入力端子とし、他端を第４の巻線端子とする第３の金属体とを第２の巻き枠側に配し、この一方及び他方の入力端子の夫々の一部をこのトリガ出力端子とは反対側に露呈し、この第３の巻線端子の一部をこの第１の巻線端子と同じ側に露呈し、この第４の巻線端子の一部をこの第２の巻線端子と同じ側に露呈する如く樹脂によりインサート成形したボビンと、このボビンのこの第１又は第２の巻線端子に一端が接続され、この第１及び第２の巻き枠間に巻装し、この第４の巻線端子に他端が接続された２次巻線と、このボビンのこの第３の巻線端子に一端が接続され、この第１及び第２の巻き枠間に巻装し、この第４の巻線端子に他端が接続された１次巻線とを有するものである。
【０００８】
本発明フラッシュユニットは、  カメラに装着されて、撮影のための補助光を照射するフラッシュユニットにおいて、この補助光を照射する際に、トリガ電圧を供給することにより放電する放電管と、この放電管にトリガ電圧を供給するトリガコイルと、このトリガ電圧を供給する状態でこの放電管を支持するためにこのトリガコイルのトリガ出力端子側にこのトリガコイルをインサート成形したホルダとを備え、このトリガコイルは、トリガ出力端子とこのトリガ出力端子の左及び右側に伸びる第１及び第２の巻線端子とを有する第１の金属体を第１の巻き枠側に配し、このトリガ出力端子、第１及び第２の巻線端子の夫々の一部を露呈するようにすると共に一端を一方の入力端子とし、他端を第３の巻線端子とする第２の金属体と、一端を他方の入力端子とし、他端を第４の巻線端子とする第３の金属体とを第２の巻き枠側に配し、この一方及び他方の入力端子の夫々の一部をこのトリガ出力端子とは反対側に露呈し、この第３の巻線端子の一部をこの第１の巻線端子と同じ側に露呈し、この第４の巻線端子の一部をこの第２の巻線端子と同じ側に露呈する如く磁性粉を混入した樹脂によりインサート成形したボビンと、このボビンのこの第１又は第２の巻線端子に一端が接続され、この第１及び第２の巻き枠間に巻装し、この第４の巻線端子に他端が接続された２次巻線と、このボビンのこの第３の巻線端子に一端が接続され、この第１及び第２の巻き枠間に巻装し、この第４の巻線端子に他端が接続された１次巻線とを有すものである。
【発明の効果】
【０００９】
本発明ボビンによれば、トリガ出力端子と一方及び他方の入力端子とを前後に配し、第１、第２、第３及び第４の巻線端子を左右に配したのでこのボビンを薄型にできボビンを小型化することができ、このトリガコイルを小型化できる。
【００１０】
本発明フラッシュユニットによれば、トリガ電圧を供給する状態で放電管を支持するためにこのトリガコイルのトリガ出力端子側にこのトリガコイルをインサート成形したホルダとを備えたので、トリガコイルが良好に保持されると共にこのトリガコイルが小型化された分このフラッシュユニットも小型化を図ることができる。
【発明を実施するための最良の形態】
【００１１】
以下、図面を参照して、本発明ボビン、トリガコイル、トリガコイルの製造方法、フラッシュユニット及びフラッシュユニットの製造方法を実施するための最良の形態の例につき説明する。
【００１２】
図１は、本例によるデジタルカメラの全体を示す斜視図であり、図１に示す如きデジタルカメラ等のカメラ１は、レンズ２を介して被写体を撮影する際に、補助光を照射するフラッシュユニット３が前面に装着されている。
【００１３】
以下に、デジタルカメラ１に搭載される本例によるフラッシュユニット３を説明する。図２は、本例によるフラッシュユニット３を前面側から見た斜視図を示し、図３は後面側から見た斜視図を示し、図４は図２のプロテクタ１０を外した状態を示す斜視図である。
【００１４】
本例のフラッシュユニット３の発光部分は、トリガコイル１１のトリガ出力端子２４ａの高圧電圧例えば４ｋVの出力が導電性のリフレクタ１２を経由してキセノン（Ｘｅ）管１３内のキセノン（Ｘｅ）ガスに供給されることにより、このキセノンガスがイオン化し、イオン化したキセノンガスによりキセノン管１３が放電発光し、この発光がリフレクタ１２により反射されるようになされたものである。
【００１５】
このフラッシュユニット３の回路構成は図５に示す如くで、図５において、２０は直流電圧入力端子を示し、この直流電圧入力端子２０を電荷蓄積用のコンデンサ２１を介して接地すると共にこの直流電圧入力端子２０を抵抗器２２及びコンデンサ２３の直列回路を介して接地し、また、この直流電圧入力端子２０をキセノン管１３の一方の電極１３ａに接続する。
【００１６】
この抵抗器２２及びコンデンサ２３の接続点をトリガコイル１１の１次巻線１１ａの一端に接続し、この１次巻線１１ａの他端をキセノン管１３の他方の電極１３ｂに接続し、このトリガコイル１１の２次巻線１１ｂの一端即ちトリガ出力端子２４ａをキセノン管１３のリフレクタ１２に接続し、この２次巻線１１ｂの他端をキセノン管１３の他方の電極１３ｂに接続する。この場合、キセノン管１３の一方及び他方の電極１３ａ及び１３ｂの接続は、図２、図３においては図示しないが、所定のコネクタ等により行われる。
【００１７】
このキセノン管１３の他方の電極１３ｂをスッチング素子を構成する絶縁ゲート型電界効果トランジスタ２５のドレインに接続し、この絶縁ゲート型電界効果トランジスタ２５のソースを接地し、この絶縁ゲート型電界効果トランジスタ２５のゲートをコントローラ（図示せず。）よりの制御信号が供給される制御信号入力端子２６に接続する。
【００１８】
斯かる図５のフラッシュユニット３の回路においては、コンデンサ２１の蓄積電荷による直流電圧が抵抗器２２を介してコンデンサ２３に供給され、このコンデンサ２３の両端電圧が３００Ｖ程度になる如く充電される。
【００１９】
このフラッシュユニット３のキセノン管１３を発光させるときには、コントローラよりの図６Ａに示す如き、制御信号を絶縁ゲート型電界効果トランジスタ２５のゲートに供給し、この絶縁ゲート型電界効果トランジスタ２５を図６Ａに示す如く６００μＳ〜１ｍＳの間オンにする。
【００２０】
このときは、コンデンサ２３に蓄積された電荷がトリガコイル１１の１次巻線１１ａを介して流れ、この１次巻線１１ａに３００Ｖ程度の電圧を供給し、このときトリガコイル１１の２次巻線１１ｂに図６Ｂに示す如き例えば４ｋＶ程度の高電圧が得られ、この４ｋＶ程度の高電圧がトリガ出力端子２４ａを介してリフレクタ１２に供給される。  
【００２１】
このリフレクタ１２に供給された高電圧のトリガ電圧がキセノン管１３内のキセノンガスに供給され、このキセノンガスをイオン化すると共にこのときコンデンサ２１の蓄積電荷による電圧がキセノン管１３の一方の電極１３ａに供給されるので、このキセノン管１３は、一方及び他方の電極１３ａ及び１３ｂ間で図６Ｃに示す如く、放電発光し、この発光がリフレクタ１２により反射される。
【００２２】
次に、図７〜図１２を参照して、本例によるトリガコイル１１につき説明する。
【００２３】
本例においては、トリガコイル１１のボビン３０を形成するのに、まず、図７、図８に示す如く、所定大きさのトリガ出力端子２４ａとこのトリガ出力端子２４ａの左及び右側に伸びる第１及び第２の巻線端子２４ｂ及び２４ｃとを有する第１の金属体２４を用意する。この金属体２４は、ニッケルや錫等をメッキしたりん青銅等の金属板金により形成する。この場合、トリガ出力端子２４ａと巻線端子２４ｂ、２４ｃとは、所定の段差を有する如くする。
【００２４】
また、一端を一方の入力端子３１ａとし、他端を第３の巻線端子３１ｂとするＬ字状の第２の金属体３１と、一端を他方の入力端子３２ａとし、他端を第４の巻線端子３２ｂとするＬ字状の第３の金属体３２を用意する。この第２及び第３の金属体３１及び３２は、ニッケルや錫等をメッキしたりん青銅等の金属板金により形成する。
【００２５】
本例においては、図７及び図８に示す如く、磁性粉を混入した樹脂で、第１、第２及び第３の金属体２４、３１及び３２をインサート成形し、ボビン３０を形成した。斯かる本例のボビン３０によれば、トリガ出力端子２４ａと一方及び他方の入力端子３１ａ及び３２ａとを前後に配し、第１、第２、第３及び第４の巻線端子２４ｂ、２４ｃ、３１ｂ及び３２ｂを左右に配したのでこのボビン３０を薄型にできボビン３０を小型化できる。
【００２６】
この場合、この第1の金属体２４を、このボビン３０の一方の巻き枠３０ａ側に配し、このトリガ出力端子２４ａの一部がこの一方の巻き枠３０ａの前方において露呈すると共にこの第１及び第２の巻線端子２４ｂ及び２４ｃの夫々の一部が夫々この一方の巻き枠３０ａの左及び右側方において露呈するようにする。
【００２７】
また、この場合、この第２及び第３の金属体３１及び３２をこのボビン３０の他方の巻き枠３０ｂ側に配し、この一方及び他方の入力端子３１ａ及び３２ａの夫々の一部をこのボビン３０のトリガ出力端子２４ａとは反対側の後方において露呈するようにし、この第３の巻線端子３１ｂの一部を第１の巻線端子２４ｂと同じ側即ち、図７、図８では、他方の巻き枠３０ｂの左側方において露呈するようにし、この第４の巻線端子３２ｂの一部を第２の巻線端子２４ｃと同じ側即ち、図７、図８では、他方の巻き枠３０ｂの右側方において露呈するようにする。
【００２８】
このボビン３０を成形する樹脂としては、ＡＢＳ樹脂等の通常の樹脂でも良いが、ポリフェニレンサルファイド（ＰＰＳ）等のエンジニアリングプラスチックを用いるのが良い。
【００２９】
また、本例においては、このボビン３０の一方の巻き枠３０ａのトリガ出力端子２４ａ側にステージ３０ｃを設けると共にこの一方の巻き枠３０ａの所定位置に溝部３０ｄを形成する。この場合、ステージ３０ｃ、溝部３０ｄの底面、一方及び他方の巻き枠３０ａ及び３０ｂ間の連結部の一面を略同一平面とする。
【００３０】
また、このボビン３０において、３３は、巻き線機に装着するときに用いられる装着用穴である。この装着用穴３３は、トリガ出力端子２４ａの有る面の中央に設けたが、これに対向する面の中央に設けてもよいし、又は上述２面を結ぶ貫通穴であっても良い。この装着穴３３を中心に回転し、巻き線を行う。
【００３１】
このボビン３０にトリガコイル１１の１次巻線１１ａ及び２次巻線１１ｂを巻装するのに図９〜図１２に示す如く行う。先ず、このボビン３０に２次巻線１１ｂを巻装する。
【００３２】
この場合、図９に示す如く、２次巻線１１ｂの巻き始め部を第１の巻線端子２４ｂに絡げて接続し、この第１の巻線端子２４ｂよりの巻き線をステージ３０ｃ及び一方の巻き枠３０ａの溝部３０ｄを介して一方の巻き枠３０ａ及び他方の巻き枠３０ｂ間の連結部に導いて図１０に示す如く、この一方の巻き枠３０ａ及び他方の巻き枠３０ｂ間に均等に巻装する。この場合、ステージ３０ｃ、溝部３０ｄの底面、一方及び他方の巻き枠３０ａ及び３０ｂ間の連結部の一面を略同一平面としたので、巻き線に与えるストレスを少なくすることができる。尚、図９では、巻き線の当接部を角部に記載しているが、この当接部を所定曲面あるいは面取りするを可とする。ここで、ステージ３０ｃは、溝状部としても良い。
【００３３】
本例においては、図１０に示す如く、２次巻線１１ｂとして、この一方の巻き枠３０ａ及び他方の巻き枠３０ｂ間に例えば８００回巻装し、その巻き終わりをコモン端子としての第４の巻線端子３２ｂに絡げ接続する。
【００３４】
一般に、キセノン管１３には、図６Ｂに示す如き、トリガ電圧が、正が良いものと、負が良いものとの両方があり、上述例では、２次巻線１１ｂの巻き始めを第１の巻線端子２４ｂとしたが、逆極性を要求するキセノン管１３のときは、この２次巻線１１ｂのまき始めを第２の巻線端子２４ｃとする。
【００３５】
本例の図７、図８に示す如きボビン３０は、第１及び第２の巻線端子２４ｂ及び２４ｃを設けたので、この両方のキセノン管に対応できる。この場合、第１又は第２の巻線端子２４ｂ又は２４ｃいずれを巻き始めとしても、左右対称であり、同じ巻き数とでき、同じ特性を得ることができる。
【００３６】
次に、図１１に示す如く、この２次巻線１１ｂの上に１次巻線１１ａを巻装するに、この１次巻線１１ａの巻き始めをコモン端子である第４の巻線端子３２ｂに絡げて接続し、この一方の巻き枠３０ａ及び他方の巻き枠３０ｂ間の２次巻線１１ｂ上に他方の巻き枠３０ｂ側から順次所定回数巻装し、この１次巻線１１ａの巻き終わりを図１２に示す如く、第３の巻線端子３１ｂに絡げ接続する。
【００３７】
また、ここで１次巻線１１ａについても、逆方向巻線するようにしても良い。即ち、１次巻線１１ａの巻き始めを第３の巻線端子３１ｂに絡げて接続し、図１１とは逆回しに順次所定回数巻装し、その巻き終わりを第４の巻線端子３２ｂに絡げ接続する。この場合、一方の入力端子３１ａと他方の入力端子３２ａとに入力する電圧の極性を逆にすることが可能となり、電気回路の都合による変更にも容易に対応することができる。
【００３８】
本例による、図１２に示す如き、２次巻線１１ｂの巻数が８００回のトリガコイル１１の透磁率が６．０９ｎＨであり、２次巻線１１ｂのインダクタンスが３．８９８ｍＨ、抵抗値が３１５．０Ω、１次巻線１１ａのインダクタンスが１．０７３μＨ、抵抗値が１．０５２Ωであった。比較例として、２次巻線の巻数が１１２０回の従来品は、透磁率が５．８１ｎＨであり、２次巻線のインダクタンスが７．２９４ｍＨ、抵抗値が３０７．３Ω、１次巻線のインダクタンスが０．９４４μＨ、抵抗値が０．７６６Ωであった。
【００３９】
本例によるトリガコイル１１の入出力特性は、図１３の曲線ａに示す如く、上述従来品の入出力特性の曲線ｂ比較し略同一であった。
【００４０】
斯かる、本例によるトリガコイル１１によれば、トリガコイル１１のボビン３０をトリガ出力端子２４ａと一方及び他方の入力端子３１ａ及び３２ａとを前後に配し、第１、第２、第３及び第４の巻線端子２４ｂ、２４ｃ、３１ｂ及び３２ｂを左右に配したのでこのボビン３０を薄型にできボビン３０を小型化することができ、更に磁性粉を混入した樹脂により成形したので、このボビン３０がコアの機能を有し、従来のボビンに設けるコアを挿入するために必要な枠の肉厚削減分だけ、ボビン３０を小型化することができ、このトリガコイル１１を小型化できる。
【００４１】
この場合、本例によれば、ボビン３０を磁性粉を混入した樹脂により成形したので、磁性粉を焼成して形成したボビンに比較し、もろさがなく、小型化（薄肉化）できる。
【００４２】
次に、図２、図３、図４、図１４及び図１５を参照して、図１２に示す如きトリガコイル１１を使用した本例によるフラッシュユニット３につき説明する。
【００４３】
本例においては、図１４、図１５に示す如く、トリガ電圧を供給する状態でキセノン管１３が装着されたリフレクタ１２を保持するホルダ１４を樹脂によりトリガコイル１１のトリガ出力端子２４ａ側にこのトリガコイル１１をインサート成形して形成する。
【００４４】
このホルダ１４は、図４に示す如く、キセノン管１３が挿入装着されたリフレクタ１２を圧入固定する長溝部１４ａを有し、この場合、このホルダ１４の長溝部１４ａにトリガコイル１１のトリガ出力端子２４ａが露呈する如くする。
【００４５】
従って、図４に示す如く、キセノン管１３が挿入装着されたリフレクタ１２を、このホルダ１４の長溝部１４ａに圧入固定したときは、このリフレクタ１２にトリガコイル１１のトリガ出力端子２４Ａが接触接続される。
【００４６】
このホルダ１４を形成する樹脂としては、ＡＢＳ、ポリカーボネート、ポリカＡＢＳ等の封止性のある樹脂が使用される。
【００４７】
このホルダ１４を形成する樹脂に磁性粉を混入するを可とする。この樹脂に磁性粉を混入したときは、放熱効果がよくなると共にトリガコイル１１を閉磁路のコイルとすることができる。
【００４８】
また、リフレクタ１２は、周知の如く構成されたもので、ホルダ１４の長溝部１４ａに圧入固定できる如く構成され、例えばアルミニューム等の導電性の金属で構成され、表面が鏡面状で高反射率となるように構成される。
【００４９】
また、この場合、トリガコイル１１の一方及び他方の入力端子３１ａ及び３２ａは、電気的接続ができるように後方に露呈される。
【００５０】
また、図２、図３に示す如く、キセノン管１３のリフレクタ１２側とは反対側即ち発光反射側に保護用の透明樹脂より成るプロテクタ１０がホルダ１４に装着される。
【００５１】
また、本例のトリガコイル１１においては、一方の入力端子３１ａが図５の回路の抵抗器２２及びコンデンサ２３の接続点に接続され、コモン端子である第４の巻線端子３２ｂに接続された他方の入力端子３２ａをキセノン管１３の他方の電極１３ｂに接続し、トリガコイル１１のトリガ出力端子２４ａをリフレクタ１２に接続する。
【００５２】
本例フラッシュユニット３によれば、トリガ電圧を供給する状態でキセノン管１３を支持するために、このトリガコイル１１のトリガ出力端子２４ａ側にこのトリガコイル１１をインサート成形したホルダ１４とを備えたので、トリガコイル１１が良好に保持されると共にこのトリガコイル１１が小型化された分このフラッシュユニット３も小型化を図ることができる。
【００５３】
尚、本発明は上述例に限ることなく、本発明の要旨を逸脱することなく、その他種々の構成が採り得ることは勿論である。
【図面の簡単な説明】
【００５４】
【図１】カメラの例を示す斜視図である。
【図２】本発明フラッシュユニットを実施するための最良の形態の例を示す前方より見た斜視図である。
【図３】図２の後方より見た斜視図である。
【図４】図２のプロテクタを除いた状態を示す斜視図である。
【図５】フラッシュユニットの回路例を示す構成図である。
【図６】図５の説明に供する線図である。
【図７】本発明トリガコイルのボビンの例を示す前方より見た斜視図である。
【図８】図７の後方より見た斜視図である。
【図９】本発明トリガコイルのボビンの例に巻線する例を示す斜視図である。
【図１０】本発明トリガコイルのボビンの例に巻線する例を示す斜視図である。
【図１１】本発明トリガコイルのボビンの例に巻線する例を示す斜視図である。
【図１２】本発明トリガコイルのボビンの例に巻線する例を示す斜視図である。
【図１３】本発明の説明に供する線図である。
【図１４】本発明フラッシュユニットの要部の例を示す斜視図である。
【図１５】図１４のＡ−Ａ線断面図である。
【符号の説明】
【００５５】
１…カメラ、３…フラッシュユニット、１０…プロテクタ、１１…トリガコイル、１１ａ…１次巻線、１１ｂ…２次巻線、１２…リフレクタ、１３…キセノン管、１４…ホルダ、２４、３１、３２…金属体、２４ａ…トリガ出力端子、２４ｂ、２４ｃ、３１ｂ、３２ｂ…巻線端子、３０…ボビン、３０ａ、３０ｂ…巻き枠、３０ｃ…ステージ、３０…溝部、３１ａ、３２ａ…入力端子
【図１】
0004587930.tif 000002
【図２】
0004587930.tif 000003
【図３】
0004587930.tif 000004
【図４】
0004587930.tif 000005
【図５】
0004587930.tif 000006
【図６】
0004587930.tif 000007
【図７】
0004587930.tif 000008
【図８】
0004587930.tif 000009
【図９】
0004587930.tif 000010
【図１０】
0004587930.tif 000011
【図１１】
0004587930.tif 000012
【図１２】
0004587930.tif 000013
【図１３】
0004587930.tif 000014
【図１４】
0004587930.tif 000015
【図１５】
0004587930.tif 000016